(57)【要約】【課題】衣類、装身具に用いられているスライドファスナーにおいて、スライドファスナーをスライドする際に、ファスナースライダーが、ファスナー部分を覆い隠してカバーするために設けられた玉縁を噛むことを防止すると共に、通常時においては、ファスナーのスライダーが極めて円滑にスライドできるスライドファスナーの玉縁構造を提供する。【解決手段】スライドファスナーの前面に両側からスライドファスナーを覆い隠してカバーする一対の玉縁を設け、該一対の玉縁と前記スライドファスナーを形成するファスナーテープ間にそれぞれスペーサーを挟持して玉縁とスペーサー並びにファスナーテープを配列し、該玉縁とスペーサー、並びにファスナーテープの三部材を接合固着して、該玉縁とファスナーテープ間に挟持したスペーサーにより玉縁とファスナーテープ間にそれぞれ間隙を設けることでファスナーテープに対して両側の玉縁をそれぞれ浮かせた形状とした。【選択図】図１
2008303474.tif 000002
【特許請求の範囲】
【請求項１】
表面生地の所定位置に取付けられるスライドファスナーにあって、
スライドファスナーの前面に両側からスライドファスナーを覆い隠してカバーする一対の玉縁を設け、
該一対の玉縁と前記スライドファスナーを形成するファスナーテープ間にそれぞれスペーサーを挟持して玉縁とスペーサー並びにファスナーテープを接合固着し、
前記玉縁とファスナーテープ間に挟持したスペーサーにより玉縁とファスナーテープ間にそれぞれ間隙を設けることでファスナーテープに対して両側の玉縁をそれぞれ浮かせた形状としたこと、
を特徴とするスライドファスナーの玉縁構造。
【請求項２】
表面生地の所定位置に取付けられるスライドファスナーにあって、
スライドファスナーの前面に片側からスライドファスナーを覆い隠してカバーする玉縁を設け、
該玉縁と前記スライドファスナーを形成するファスナーテープ間にスペーサーを挟持して玉縁とスペーサー並びにファスナーテープを接合固着し、
前記玉縁とファスナーテープ間に挟持したスペーサーにより玉縁とファスナーテープ間に間隙を設けることでファスナーテープに対して玉縁をそれぞれ浮かせた形状としたこと、
を特徴とするスライドファスナーの玉縁構造。
【請求項３】
前記玉縁とスライドファスナーを形成するファスナーテープ間にスペーサーを挟持して接合固着する手段は縫着としたこと、
を特徴とする請求項１、または請求項２のいずれかに記載のスライドファスナーの玉縁構造。
【請求項４】
前記玉縁とスライドファスナーを形成するファスナーテープ間に挟持して接合固着されるスペーサーはウレタン樹脂にて形成されていること、  
を特徴とする請求項１乃至請求項３のいずれかに記載のスライドファスナーの玉縁構造。
【請求項５】
前記玉縁とスライドファスナーを形成するファスナーテープ間に挟持して接合固着されるスペーサーの形状は帯厚を有する帯状体であること、
を特徴とする請求項１乃至請求項４のいずれかに記載のスライドファスナーの玉縁構造。
【発明の詳細な説明】
【技術分野】
【０００１】
本発明は、ジャケットやズボン等の衣類、バックやカバン、リックサック等の装身具に用いられているスライドファスナーの玉縁構造に関するものであり、本発明の目的は、ファスナーをスライドする際に、ファスナーのスライダーが、ファスナー部分を覆い隠してカバーするために設けられた玉縁を噛むことを防止すると共に、通常時においては、ファスナーのスライダーが極めて円滑にスライドできるスライドファスナーの玉縁構造を提供するものである。
【背景技術】
【０００２】
スライドファスナーは、中央部のファスナーエレメントに装着されたスライダーを引っ張ってスライドさせ、両側に並んだファスナーエレメントを開閉するもので、ジャケットやコート、そしてズボン等の衣類のみならずバックやカバン、リックサック等の装身具の開口部などに数多く用いられている。
【０００３】
本発明は、ジャケットの前開き部分を留め合せするファスナーの玉縁構造や、ポケット口の開閉を行うスライドファスナーを覆い隠してカバーする玉縁構造に関するものである。
【０００４】
スライドファスナーを覆い隠してカバーする形状のスライドファスナー用玉縁構造を用いることは、高感度なデザイン性のある衣服や装身具を、種々開発しやすくするばかりでなく、実用的には、スライドファスナー部に雪が付着して凍結したり、スライドファスナー部から雨が滲みこまない防寒コートやスキーウェアを容易に得られることでも重要な要件である。
【０００５】
本発明の従来例として、スライドファスナーをジャケットのそれぞれの部位に用いた例を図９乃至図１１おいて説明する。
【０００６】
図９乃至図１１において、５０はジャケットを示し、該ジャケット５０には前開き部を留め合わせるるためのファスナー５１からなるファスナー部５２とジャケット５０に付帯された胸ポケット口５３、ポケット口５４が設けられている。
【０００７】
前記ファスナー部５２には、ジャケット５０の表面生地５５が端部で折り返されて一方の生地に縫い付けられた玉縁５６、５６を両側に有しており、ファスナースライダー５７の引き手５８を上げることにより、前記玉縁５６、５６が両側から完全に前記ファスナー５１を覆い隠してカバーするように構成されている。
【０００８】
また、前記胸ポケット口５３は、玉縁５６が上部からファスナー５１（図示せず）を覆い隠してカバーしており、胸ポケット５３の開閉はファスナースライダー５７（図示せず）に連結した引き手５８にて操作される。
【０００９】
同様にポケット口５４は、玉縁５６が片側からファスナー５１を覆い隠してカバーしており、ポケット口５３の開閉はファスナースライダー５７に連結した引き手５８にて操作されている。
【００１０】
而して、本発明が対象とするスライドファスナーの玉縁構造は、玉縁５６、５６が両側からファスナー５１を覆い隠してカバーするもの、並びに、玉縁５６が上部、或いは、片側からファスナー５１を覆い隠してカバーする胸ポケット口５３、ポケット口５４のような従来例である。
【００１１】
次に、図１０は、上記従来例のファスナー部５２の拡大断面形状を示しており、図１１は、胸ポケット口５３、ポケット口５４、５４の拡大断面形状を示している。
【００１２】
図１０において、５９はジャケット５０の前開き部を拡大断面図にて示し、５５は、ジャケット５０を構成する表面生地であり、該表面生地５５は、それぞれ端部で折り返されて構成した玉縁５６、５６を両側に有した両玉縁仕様になっている。また、玉縁５６、５６は逢着部５９にてファスナーテープ６０、６０にそれぞれ固着されおり、該ファスナーテープ６０、６０の先端にはファスナースライダー（図示せず）のスライドにより中央から離間したり、噛合可能なファスナーエレメント６１が嵌着されている。
【００１３】
また、図１１は、胸ポケット口５３、ポケット口５４の拡大断面形状を示し、５５はジャケット５０を構成する表面生地であり、該表面生地５５は、端部で折り返されて構成した玉縁５６を上側（胸ポケット５３の場合）、或いは片側（ポケット口５４の場合）に設けて片玉縁仕様となっている。前記玉縁５６は縫着部５９にてファスナーテープ６０の片側に固着されていて、該ファスナーテープ６０の先端にはファスナースライダー（図示せず）のスライドにより中央から離間したり、噛合可能なファスナーエレメント６１が嵌着されている。
尚、６２はポケット口の縁部を構成するもので、表面生地５５を端部で折り返し、もう一方のファスナーテープ５９に縫着等の固着手段で固着されている。
【００１４】
従って、胸ポケット口５３、ポケット口５４における玉縁５６は、片側から、大きく張り出した形状を有して、ファスナー５１を覆い隠してカバーしているものである。
【００１５】
斯くして、図１０の従来例では、中央部にファスナーエレメント６１を有するファスナーテープ６０、６０と両側から配置された玉縁５６、５６が重なりあって、ファスナー部５２を構成しており、該ファスナーテープ６０、６０と玉縁５６、５６間をファスナーエレメント６１に沿ってファスナースライダーをスライドさせることは、前記玉縁５６、５６が邪魔になり、そして、玉縁５６，５６自体がファスナースライダー５７の抵抗にもなることから、ファスナースライダー５７を円滑にスライドできない場合が多かった。
【００１６】
また、ジャケット用の表面生地５５は、非常に薄手のもので縫製される場合も多くなり、ファスナースライダー５７が、ファスナー５１を覆い隠してカバーする構成で玉縁５６、５６とファスナーテープ５９，５９が接していることから、ファスナースライダー５７が玉縁５６，５６の縁部を噛んでしまいファスナースライダー５７が動かなくなるケースがあり、この現象は、特に前記ジャケット５０の表面生地５５が薄手の場合によく発生する現象で、ジャケット５０が雨や雪に曝されて濡れてしまった場合にも多発していた。
【００１７】
従って、従来の玉縁構造として、図示はしていないが、玉縁５６そのものの縁部中にタコ糸状のものを入れてファスナースライダー５７が玉縁５６を噛まないように工夫したものもある。しかし、この方法では、玉縁５６が厚くなり体裁が悪い、しかも、玉縁５６の追加の加工をしなくてはならないために、工程的に面倒な作業となる。
【００１８】
更にまた、図１１の従来例では、特に片側から、玉縁５６が大きく張り出した形状を有して、ファスナー５１を覆い隠してカバーしているために、表面生地５５の種類によっては、ファスナースライダー５７が円滑にスライドできないばかりか、ファスナースライダー５７が玉縁５６の縁部を噛んでしまうケースが多い。
【発明の開示】
【発明が解決しようとする課題】
【００１９】
而して、本発明が解決しようとする課題は、ジャケットやズボン等の衣類、バックやカバン、リックサック等の装身具に用いられているスライドファスナーにおいて、スライドファスナーをスライドする際に、ファスナースライダーが、ファスナー部分を覆い隠してカバーするために設けられた玉縁を噛むことを防止すると共に、通常時においては、ファスナーのスライダーが極めて円滑にスライドできるスライドファスナーの玉縁構造を提供するものである。
【課題を解決するための手段】
【００２０】
本発明は、表面生地の所定位置に取付けられるスライドファスナーにあって、
スライドファスナーの前面に両側からスライドファスナーを覆い隠してカバーする一対の玉縁を設け、該一対の玉縁と前記スライドファスナーを形成するファスナーテープ間にそれぞれスペーサーを挟持して玉縁とスペーサー並びにファスナーテープを接合固着し、前記玉縁とファスナーテープ間に挟持したスペーサーにより玉縁とファスナーテープ間にそれぞれ間隙を設けることでファスナーテープに対して両側の玉縁をそれぞれ浮かせた形状としたことを特徴とするスライドファスナーの玉縁構造である。
【００２１】
また、本発明は、表面生地の所定位置に取付けられるスライドファスナーにあって、スライドファスナーの前面に片側からスライドファスナーを覆い隠してカバーする玉縁を設け、該玉縁と前記スライドファスナーを形成するファスナーテープ間にスペーサーを挟持して玉縁とスペーサー並びにファスナーテープを接合固着し、前記玉縁とファスナーテープ間に挟持したスペーサーにより玉縁とファスナーテープ間に間隙を設けることでファスナーテープに対して玉縁をそれぞれ浮かせた形状としたことを特徴とするスライドファスナーの玉縁構造でもある。
【００２２】
そして、本発明において、玉縁とスライドファスナーを形成するファスナーテープ間にスペーサーを挟持して接合固着する手段は、縫着とすることが好ましい。
【００２３】
また、本発明において、玉縁とスライドファスナーを形成するファスナーテープ間に挟持して接合固着されるスペーサーは、ウレタン樹脂にて形成されていることが好ましい。
【００２４】
次に、本発明において用いられるスペーサーの形状を限定すると本発明において、玉縁とスライドファスナーを形成するファスナーテープ間に挟持して接合固着されるスペーサーの形状は、帯厚を有する帯状体であることが好ましい。
【００２５】
また、玉縁とスライドファスナーを形成するファスナーテープ間に挟持して接合固着されるスペーサーの形状は、帯状体で、且つ先端部に該帯状体を形成する帯厚よりも大きな円形断面形状や半円形断面形状を有していることが、本発明では、好ましい。
【００２６】
更にまた、玉縁とスライドファスナーを形成するファスナーテープ間に挟持して接合固着されるスペーサーの形状は帯状体で、且つ先端部に該帯状体を形成する帯厚よりも大きな楕円形断面形状を有していることが、本発明では、好ましい。
【発明の効果】
【００２７】
而して、本発明は、ジャケットやズボン等の衣類、バックやカバン、リックサック等の装身具に用いられているスライドファスナーにおいて、スライドファスナーをスライドする際に、ファスナースライダーが、ファスナー部分を覆い隠してカバーするために設けられた玉縁を噛むことを防止すると共に、通常時においては、ファスナーのスライダーが極めて円滑にスライドできるスライドファスナーの玉縁構造を提供することができた。
【００２８】
また、本発明は、玉縁に特にタコ糸状の物を入れた従来例に比較して、玉縁そのものには加工する必要がないので、製作工程が簡単でコスト的に安価となり、玉縁そのものがコロッとした厚みになることを防止してデザイン的に優れたものが製作できた。
【発明を実施するための最良の形態】
【００２９】
斯くして、本発明は、ジャケットやズボン等の衣類、バックやカバン、リックサック等の装身具に用いられているスライドファスナーの玉縁構造に関するものであり、本発明の目的は、ファスナーをスライドする際に、ファスナーのスライダーが、ファスナー部分を覆い隠してカバーするために設けられた玉縁を噛むことを防止すると共に、通常時においては、ファスナーのスライダーが極めて円滑にスライドできるスライドファスナーの玉縁構造を提供するものである。
【００３０】
本発明の目的を達成するために、本発明の基本構成は、表面生地の所定位置に取付けられるスライドファスナーにあって、スライドファスナーの前面に両側からスライドファスナーを覆い隠してカバーする一対の玉縁を設け、該一対の玉縁と前記スライドファスナーを形成するファスナーテープ間にそれぞれスペーサーを挟持して、玉縁とスペーサー、並びにファスナーテープを配列し、該玉縁とスペーサー、並びにファスナーテープの三部材を接合固着して、該玉縁とファスナーテープ間に挟持したスペーサーにより玉縁とファスナーテープ間にそれぞれ間隙を設けることでファスナーテープに対して両側の玉縁をそれぞれ浮かせた形状としたスライドファスナーの玉縁構造である。
【００３１】
また、本発明の他の実施例では、表面生地の所定位置に取付けられるスライドファスナーにあって、スライドファスナーの前面に片側からスライドファスナーを覆い隠してカバーする玉縁を設け、該玉縁と前記スライドファスナーを形成するファスナーテープ間にスペーサーを挟持して、玉縁とスペーサー、並びにファスナーテープを配列し、該玉縁とスペーサー、並びにファスナーテープの三部材を接合固着して、該玉縁とファスナーテープ間にスペーサーを挟持させることにより、該玉縁とファスナーテープ間に間隙を設けることでファスナーテープに対して玉縁をそれぞれ浮かせた形状としたスライドファスナーの玉縁構造である。
【００３２】
上記基本構成において、本発明が実施される対象製品はジャケットやズボン等に限らずコートやジャンバー、防寒具、雨具、スキー・スケートウェアの衣類全体を含み、また、バックやカバン、リックサック、寝袋等に使用されるスライドファスナーを含むものである。
【００３３】
また、上記基本構成において、スライドファスナーとは、所謂、面ファスナーと異なり、中央部のファスナーエレメントに装着されたスライダーを引っ張ってスライドさせ、両側に並んだファスナーエレメントを開閉するもので、チャック、ジッパーとも呼ばれているものである。
【００３４】
更に、玉縁とは、表面生地を端部で折り返して構成したり、専用の玉縁布地を用いるもので、スライドファスナーの回り縁を構成するだけのものもあるが、本発明においては、単にスライドファスナーの縁部を構成するだけのものではなく、スライドファスナーの両側に一対の玉縁を設けてスライドファスナーを覆い隠してカバーする両玉縁仕様、並びにポケット口のように片側から玉縁でスライドファスナーを覆い隠してカバーする片側仕様が対象となる。
【００３５】
更にまた、本発明におけるスペーサーとは、ファスナーエレメントの縁部を形成すると共に、玉縁とファスナーテープ間にそれぞれ間隙を設けるための部材であり、素材は編み繊維や樹脂製の物が良く、特に選択すればウレタン樹脂が最も好ましい。
【００３６】
そして、スペーサーの形状は上記素材を帯状したこと、或いは、帯状体で、且つ先端部に該帯状体を形成する帯厚よりも大きな円形断面や半円形断面を有している形状、または、帯状体で、且つ先端部に該帯状体を形成する帯厚よりも大きな楕円形断面を有している形状が好ましい。
【実施例１】
【００３７】
本発明の実施例１を図１に基づき説明する。図１は、実施例１のスライドファスナーの玉縁構造を説明する拡大断面図である。
【００３８】
図１において、１はジャケット等を構成する表面生地、２はスライドファスナー、３、３は表面生地１の端部をそれぞれ折り返して構成した玉縁、４、４は編み繊維やウレタン樹脂を帯状に成型して構成したスペーサー、５、５はファスナーテープであり、該ファスナーテープ５、５はそれぞれの先端部にファスナーエレメント６が固着されおり、該ファスナーエレメント６をファスナースライダー（従来例図９にて示す）にて嵌着、並びに離間させることでファスナーの機能が生じるものである。
【００３９】
而して、実施例１は、ジャケット等を構成する表面生地１の例えば前開き位置に取付けられるスライドファスナー２であって、該スライドファスナー２の前面に両側からスライドファスナー２を覆い隠してカバーする一対の玉縁３、３を設け、該一対の玉縁３、３と前記ファスナーテープ５、５間にそれぞれスペーサー４，４を挟持して玉縁３、３とスペーサー４、４、並びにファスナーテープ５、５を配列し、該それぞれ玉縁３とスペーサー４、並びにファスナーテープ５からなる三部材を接合固着して、該玉縁３、３とファスナーテープ５、５間に挟持したスペーサー４、４により玉縁３、３とファスナーテープ５、５間にそれぞれ間隙７を設けることでファスナーテープ５、５に対して両側の玉縁３、３をそれぞれ浮かせた形状としたスライドファスナーの玉縁構造である。
【００４０】
そして、本発明は、前記、スペーサー４、４により玉縁３、３とファスナーテープ５，５間にそれぞれ間隙７を設けることでファスナーテープ５、５に対して両側の玉縁３、３をそれぞれ浮かせた形状となし、スライドファスナー２をスライドする際に、前記ファスナースライダーが、ファスナー２の部分を覆い隠してカバーするために設けられた玉縁３、３を噛むことを防止すると共に、通常時においては、ファスナースライダーが、前記間隙７部を通るために、極めて円滑にスライドできるものである。
【００４１】
また、本発明において、玉縁３、３そのものには加工する必要がないので、製作工程が簡単でコスト的に安価となり、玉縁３、３がコロッとした厚みになることを防止してデザイン的にも優れたスライドファスナーの玉縁構造が提供できた。
【００４２】
尚、本発明の実施例１において、玉縁３とスペーサー４、並びにファスナーテープ５の三部材を接合固着する手段とは、縫着が好ましく、該縫着部は図１において８、８、８、８にて示している。また、前記スペーサー４の素材は、一定の厚みを有する生地や編み繊維、または樹脂製の物が良く、特に選択すればウレタン樹脂が最も好ましい
【実施例２】
【００４３】
本発明の実施例２を図２に基づき説明する。図２は、実施例２のスライドファスナーの玉縁構造を説明する拡大断面図である。
【００４４】
図２において、図１と同一符号は同一構成要素を示している。図２おいて１はジャケット等を構成する表面生地、２はスライドファスナー、３は表面生地１の端部を折り返して構成した玉縁、４は編み繊維やウレタン樹脂を帯状に成型して構成したスペーサー、５、５はファスナーテープであり、該ファスナーテープ５、５はそれぞれの先端部にファスナーエレメント６が固着されおり、該ファスナーエレメント６をファスナースライダー（従来例図９にて示す）にて嵌着、並びに離間させることでファスナーの機能が生じるものである。
【００４５】
而して、実施例２は、ジャケット等を構成する表面生地１の例えばポケット口に取付けられるスライドファスナー２であって、該スライドファスナー２の前面には上部、または、片側から一枚のスライドファスナー２を覆い隠してカバーするための玉縁３を設けている。
尚、９は端部を示し、該端部９は、もう一方の表面生地１を端部で折り返し、他方のファスナーテープ５に縫着部８の固着手段で固着されている。
【００４６】
前記一枚の玉縁３と前記ファスナーテープ５間にはスペーサー４を挟持して玉縁３とスペーサー４、並びにファスナーテープ５を配列し、該玉縁３とペーサー４、並びにファスナーテープ５の三部材を縫着部８、８で接合固着して、該玉縁３とファスナーテープ５間に挟持したスペーサー４により玉縁３とファスナーテープ５間に間隙７を設けることで、ファスナーテープ５に対して片側の玉縁３を浮かせた形状としたスライドファスナーの玉縁構造が提供できた。
【００４７】
本発明の実施例２は、主にポケット口等にファスナーの玉縁構造として使用でき、前記スペーサー４により玉縁３とファスナーテープ５、５間にそれぞれ間隙７を設けることが可能で、ファスナーテープ５、５に対して片側の玉縁３を浮かせた形状となし、スライドファスナー２をスライドする際に、ファスナースライダーが、ファスナー２の部分を覆い隠してカバーするために設けられた玉縁３を噛むことを防止すると共に、通常時においては、ファスナースライダーが前記間隙７部を通るために、極めて円滑にスライドできるものである。
【実施例３】
【００４８】
本発明の実施例３は前記実施例１、２に用使用されるスペーサーの形状、並びに使用例を説明するもので、図３乃至図６の形状説明断面図、及び図７、図８の使用例を示す断面図に基づき説明する。
【００４９】
図３は、前記実施例１、２に用使用されるスペーサー４の形状を示し、該スペーサー４は、前記玉縁３とスライドファスナー２を形成するファスナーテープ５間に挟持して接合固着されるもので、該スペーサーの形状は図３の如く帯厚ｔを有する帯状体である。
【００５０】
また、図４は、他のスペーサー４の形状を示し、該スペーサー４の形状は、帯状体で、且つ先端部に該帯状体を形成する帯厚ｔよりも大きな円形断面形状１０を有していたり、図５に示す如くスペーサー４の形状は帯状体を形成する帯厚ｔよりも大きな半円形断面形状１１を有している。
【００５１】
更に、図６は、他のスペーサー４の形状を示し、該スペーサー４の形状は帯状体で、且つ先端部に該帯状体を形成する帯厚ｔよりも大きな楕円形断面形状１２を有している。
【００５２】
斯くして、図７は、前記図４乃至６において説明したそれぞれのスペーサーの内、図４のスペーサーを実際に使用した場合の例を示している。
【００５３】
図７において、同一構成要素は、同一符号にて示し、１はジャケット等を構成する表面生地、２はスライドファスナー、３、３は表面生地１の端部をそれぞれ折り返して構成した玉縁、４、４は図４にて示されたスペーサーで、該スペーサー４の形状は帯状体で、且つ先端部に該帯状体を形成する帯厚ｔよりも大きな円形断面形状１０を有している。
【００５４】
そして、５、５はファスナーテープであり、該ファスナーテープ５、５はそれぞれの先端部にファスナーエレメント６が固着されおり、該ファスナーエレメント６をファスナースライダー（図９にて示す）にて嵌着、並びに離間させることでファスナーの機能が生じるものである。
【００５５】
而して、実施例３は、ジャケット等を構成する表面生地１の例えば前開き位置に取付けられるスライドファスナー２であって、該スライドファスナー２の前面に両側からスライドファスナー２を覆い隠してカバーする一対の玉縁３、３を設け、該一対の玉縁３、３と前記ファスナーテープ５、５間にそれぞれスペーサー４，４を挟持して玉縁３，３とスペーサー４、４、並びにファスナーテープ５、５を配列し、該それぞれ玉縁３とスペーサー４、並びにファスナーテープ５の三部材を縫着部８、８、８、８の部位にて接合固着して、該玉縁３、３とファスナーテープ５、５間に挟持したスペーサー４、４により、該玉縁３、３とファスナーテープ５，５間にそれぞれ間隙７を設けることでファスナーテープ５、５に対して両側の玉縁３、３をそれぞれ浮かせた形状とするスライドファスナーの玉縁構造で、前記スペーサー４の形状は帯厚ｔよりも大きな円形断面形状１０を有していることから無理なく両側の玉縁３、３をそれぞれ浮かせた形状とすることができる。
【００５６】
また、図８は、図７の実施例と同様で、図７の円形断面形状８を有するスペーサー４を楕円断面形状１１のスペーサー４に変更したもので、該スペーサー４の形状は帯厚ｔよりも大きな楕円断面形状１１を有していることから無理なく両側の玉縁３、３をそれぞれ浮かせた形状とすることができる。
【００５７】
斯くして、実施例３においても、本発明は各種形状を有するスペーサー４、４により玉縁３、３とファスナーテープ５，５間にそれぞれ間隙７を設けることでファスナーテープ５、５に対して両側の玉縁３、３をそれぞれ浮かせた形状となし、スライドファスナー２をスライドする際に、ファスナースライダーが、ファスナー２部分を覆い隠してカバーするために設けられた玉縁３、３を噛むことを防止すると共に、通常時においては、ファスナースライダーが前記間隙７部を通るために、極めて円滑にスライドできるものである。
【産業上の利用可能性】
【００５８】
本発明は、ジャケットやズボン等の衣類、バックやカバン、リックサック等の装身具に用いられているスライドファスナーにおいて、スライドファスナーをスライドする際に、ファスナースライダーが、ファスナー部分を覆い隠してカバーするために設けられた玉縁を噛むことを防止すると共に、通常時においては、ファスナーのスライダーが極めて円滑にスライドできるスライドファスナーの玉縁構造を提供するものであり、本発明は、産業上の利用範囲が頗る大きいものである。
【図面の簡単な説明】
【００５９】
【図１】本発明の実施例１を説明する断面図である。
【図２】本発明の実施例２を説明する断面図である。
【図３】本発明の実施例３の説明図で、スペーサーの形状例説明図である。
【図４】本発明の実施例３の説明図で、スペーサーの他の形状例説明図である。
【図５】本発明の実施例３の説明図で、スペーサーの他の形状例説明図である。
【図６】本発明の実施例３の説明図で、スペーサーの他の形状例説明図である。
【図７】本発明の実施例３を説明する断面図である。
【図８】本発明の実施例３他の応用例を説明する断面図である。
【図９】従来の円縁構造並びに実施部位を説明するジャケットの概観図である。
【図１０】従来例を説明する断面図である。
【図１１】他の従来例を説明する断面図である。
【符号の説明】
【００６０】
１  表面生地  
２  スライドファスナー
３  玉縁
４  スペーサー
５  ファスナーテープ
６  ファスナーエレメント
７  間隙
８  縫着部
９  端部
１０  円形断面形状
１１  半円形断面形状
１２  楕円断面形状
ｔ  帯厚
５０  ジャケット
５１  ファスナー
５２  ファスナー部
５３  胸ポケット口
５４  ポケット口
５５  表面生地
５６  玉縁
５７  ファスナースライダー
５８  引き手
５９  縫着部
６０  ファスナーテープ
６１  ファスナーエレメント
６２  ポケット口の縁部
【図１】
2008303474.tif 000003
【図２】
2008303474.tif 000004
【図３】
2008303474.tif 000005
【図４】
2008303474.tif 000006
【図５】
2008303474.tif 000007
【図６】
2008303474.tif 000008
【図７】
2008303474.tif 000009
【図８】
2008303474.tif 000010
【図９】
2008303474.tif 000011
【図１０】
2008303474.tif 000012
【図１１】
2008303474.tif 000013